(57)【要約】【課題】受信装置の複雑化を抑えつつ、視聴中でのチャンネルサーチを実現する。【解決手段】車載受信機１のチャンネルデコードＩＣ３１は、視聴するチャンネルのストリーミングデータとして、放送している放送局の放送局情報を含む第１ストリーミングデータを生成する第１生成ブロック１４と、前記視聴するチャンネルとは異なるチャンネルの第２ストリーミングデータを生成する第２生成ブロック２３とを有する。チャンネルデコードＩＣ３１は、視聴するチャンネルを放送している放送局の放送局情報と、視聴するチャンネルとは異なるチャンネルを放送している放送局の放送局情報との一致を判定する情報一致判定部７４を有する。【選択図】  図１
2013201682.tif 000002
【特許請求の範囲】
【請求項１】
複数のチャンネルの放送電波信号を含む受信信号から、
視聴するチャンネルのストリーミングデータとして、放送している放送局の放送局情報を含む第１ストリーミングデータを生成する第１生成部と、前記視聴するチャンネルとは異なるチャンネルの第２ストリーミングデータを生成する第２生成部とを有する復調用集積回路と、
前記復調用集積回路に接続され、前記視聴するチャンネルの前記第１ストリーミングデータをデコードするデコード用集積回路と、
を有し、
前記復調用集積回路は、
前記視聴するチャンネルを放送している放送局の放送局情報と、前記視聴するチャンネルとは異なるチャンネルを放送している放送局の放送局情報との一致を判定する判定部を有する、
ことを特徴とする受信装置。
【請求項２】
前記復調用集積回路は、
サーチされた他のチャンネルの前記第２ストリーミングデータを、パケットに分割する分割部と、
分割された複数のバケットから、前記放送局情報のパケットを抽出する抽出部と、
を有し、
前記判定部は、
抽出されたパケットに含まれる放送局情報と、視聴中の前記第１ストリーミングデータに含まれる放送局情報との一致を判定する、
ことを特徴とする請求項１記載の受信装置。
【請求項３】
前記判定部は、
抽出されたパケットから、前記放送局情報を格納するように予め定められた位置のデータを取得し、
取得したデータと、視聴中の前記第１ストリーミングデータに含まれる放送局情報のデータと、ビット比較する、
ことを特徴とする請求項２記載の受信装置。
【請求項４】
前記第１生成部は、
前記判定部において放送局情報同士が一致すると判定された場合、生成するストリーミングデータを、視聴中の前記第１ストリーミングデータから、サーチした前記第２ストリーミングデータへ切り替える、
ことを特徴とする請求項１から３のいずれか一項記載の受信装置。
【請求項５】
前記復調用集積回路に接続され、視聴するチャンネルを前記第１生成部に設定する制御部を有し、
前記制御部は、
前記復調用集積回路から入力される前記判定部の判定結果に基づいて、放送局情報が一致すると判定された、サーチ対象のチャンネルを前記第１生成部に設定する、
ことを特徴とする請求項４記載の受信装置。
【請求項６】
複数のチャンネルの放送電波から、視聴するチャンネルの第１ストリーミングデータを生成する復調用集積回路と、前記第１ストリーミングデータをデコードするデコード用集積回路とを有する受信装置でのチャンネルサーチ方法であって、
前記復調用集積回路は、
視聴中のチャンネルの前記第１ストリーミングデータと、前記視聴するチャンネルとは異なるチャンネルの第２ストリーミングデータとを生成し、
前記第１ストリーミングデータの放送局情報と、前記第２ストリーミングデータの放送局情報との一致を判定する、
ことを特徴とするチャンネルサーチ方法。
【請求項７】
複数のチャンネルの放送電波から、視聴するチャンネルの第１ストリーミングデータを生成する復調用集積回路と、前記第１ストリーミングデータをデコードするデコード用集積回路とを有する受信装置での、前記復調用集積回路としてのコンピュータにより実行されるプログラムであって、
前記復調用集積回路が、
視聴中のチャンネルの前記第１ストリーミングデータと、前記視聴するチャンネルとは異なるチャンネルの第２ストリーミングデータとを生成し、
前記第１ストリーミングデータの放送局情報と、前記第２ストリーミングデータの放送局情報との一致を判定する、
ことを特徴とするプログラム。
【請求項８】
複数のチャンネルの放送電波から、視聴するチャンネルの第１ストリーミングデータを生成する復調用集積回路と、前記第１ストリーミングデータをデコードするデコード用集積回路とを有する受信装置での、前記復調用集積回路としてのコンピュータにより実行されるプログラムを記録した記録媒体であって、
前記復調用集積回路が、
視聴中のチャンネルの前記第１ストリーミングデータと、前記視聴するチャンネルとは異なるチャンネルの第２ストリーミングデータとを生成し、
前記第１ストリーミングデータの放送局情報と、前記第２ストリーミングデータの放送局情報との一致を判定する、
ことを特徴とするプログラムを記録したコンピュータ読取可能な記録媒体。
【発明の詳細な説明】
【技術分野】
【０００１】
本発明は、受信装置、チャンネルサーチ方法、プログラム、および記録媒体に関する。
【背景技術】
【０００２】
近年、テレビジョン放送、ラジオ放送は、世界的にアナログ放送からデジタル放送へ移行している。デジタル放送では、アナログ放送より高画質な映像および音声を配信できる。
このデジタル放送に対応するため、車載用の受信装置でも、アンテナ、選局部、およびデコード部を用いて、デジタル放送を受信するものが提案されている（特許文献１）。
また、特許文献１の受信装置では、複数系統の中の１系統を視聴中にチャンネルサーチ用に切り替えることで、視聴中でのチャンネルサーチを実現している。
【先行技術文献】
【特許文献】
【０００３】
【特許文献１】特開２０１１−２２３４３９号公報
【発明の概要】
【発明が解決しようとする課題】
【０００４】
しかしながら、特許文献１のように複数系統の選局部およびデコード部を用いる場合、受信装置が複雑化し、高価になる。
すなわち、複数系統の選局部およびデコード部を、受信装置に設けるためには、たとえば、選局部用の集積回路を系統数分で実装し、さらにデコード部用の集積回路を系統数分で実装する必要がある。この場合、１系統だけを実装する受信装置に比べて、集積回路の個数が増え、集積回路間の接続が複雑になり、受信装置が高価になる。
この他にもたとえば、複数系統の入出力が可能な選局部用の集積回路と、複数系統の入出力が可能なデコード部用の集積回路とを、受信装置に実装する必要がある。この場合、選局部用の集積回路およびデコード部用の集積回路を、ＡＳＩＣ（Application Specific Integrated Circuit）で作成する必要がある。集積回路が、複雑化し、高価で特別なものになる。その結果、受信装置は、高価になる。
【０００５】
このように受信装置では、装置の複雑化を抑えつつ、視聴中でのチャンネルサーチを実現することが求められる。
【課題を解決するための手段】
【０００６】
請求項１に係る発明は、複数のチャンネルの放送電波信号を含む受信信号から、視聴するチャンネルのストリーミングデータとして、放送している放送局の放送局情報を含む第１ストリーミングデータを生成する第１生成部と、前記視聴するチャンネルとは異なるチャンネルの第２ストリーミングデータを生成する第２生成部とを有する復調用集積回路と、前記復調用集積回路に接続され、前記視聴するチャンネルの前記第１ストリーミングデータをデコードするデコード用集積回路と、を有し、前記復調用集積回路は、前記視聴するチャンネルを放送している放送局の放送局情報と、前記視聴するチャンネルとは異なるチャンネルを放送している放送局の放送局情報との一致を判定する判定部を有する、ことを特徴とする受信装置である。
【０００７】
請求項６に係る発明は、複数のチャンネルの放送電波から、視聴するチャンネルの第１ストリーミングデータを生成する復調用集積回路と、前記第１ストリーミングデータをデコードするデコード用集積回路とを有する受信装置でのチャンネルサーチ方法であって、前記復調用集積回路は、視聴中のチャンネルの前記第１ストリーミングデータと、前記視聴するチャンネルとは異なるチャンネルの第２ストリーミングデータとを生成し、前記第１ストリーミングデータの放送局情報と、前記第２ストリーミングデータの放送局情報との一致を判定する、ことを特徴とするチャンネルサーチ方法である。
【０００８】
請求項７に係る発明は、複数のチャンネルの放送電波から、視聴するチャンネルの第１ストリーミングデータを生成する復調用集積回路と、前記第１ストリーミングデータをデコードするデコード用集積回路とを有する受信装置での、前記復調用集積回路としてのコンピュータにより実行されるプログラムであって、前記復調用集積回路が、視聴中のチャンネルの前記第１ストリーミングデータと、前記視聴するチャンネルとは異なるチャンネルの第２ストリーミングデータとを生成し、前記第１ストリーミングデータの放送局情報と、前記第２ストリーミングデータの放送局情報との一致を判定する、ことを特徴とするプログラムである。
【０００９】
請求項８に係る発明は、複数のチャンネルの放送電波から、視聴するチャンネルの第１ストリーミングデータを生成する復調用集積回路と、前記第１ストリーミングデータをデコードするデコード用集積回路とを有する受信装置での、前記復調用集積回路としてのコンピュータにより実行されるプログラムを記録した記録媒体であって、前記復調用集積回路が、視聴中のチャンネルの前記第１ストリーミングデータと、前記視聴するチャンネルとは異なるチャンネルの第２ストリーミングデータとを生成し、前記第１ストリーミングデータの放送局情報と、前記第２ストリーミングデータの放送局情報との一致を判定する、ことを特徴とするプログラムを記録したコンピュータ読取可能な記録媒体である。
【図面の簡単な説明】
【００１０】
【図１】図１は、発明の実施形態に係る車載受信機の概略構成図である。
【図２】図２は、視聴できない場合にチャンネルをサーチする車載受信機の概略構成図である。
【図３】図３は、視聴中にチャンネルサーチできる車載受信機の概略構成図である。
【図４】図４は、放送電波により配信されるＭＰＥＧ２−ＴＳ方式のパケットのデータ構造の説明図である。
【図５】図５は、図４のパケットの詳しいデータ構造の説明図である。
【図６】図６は、地上デジタル放送でのＰＩＤの割り当てを説明する図である。
【図７】図７は、図６のＰＡＴに対応するパケットの構造を説明する図である。
【図８】図８は、図６のＰＭＴに対応するパケットの構造を説明する図である。
【図９】図９は、図６のＮＩＴに対応するパケットの構造を説明する図である。
【図１０】図１０は、図１の第２生成ブロックおよびパケット解析部の詳細なブロック図である。
【発明を実施するための形態】
【００１１】
以下、本発明の実施形態を、図面に基づいて説明する。
【００１２】
図１は、本発明の実施形態に係る車載受信機１の概略構成図である。
車載受信機１は、自動車などの車両に搭載される。
車載受信機１は、地上デジタルテレビジョン放送電波を受信する受信装置である。
【００１３】
地上デジタルテレビジョン放送では、放送番組の映像コンテンツ、音声コンテンツ、データ放送コンテンツなどのエレメンタリストリーム（ES：Elementary Stream）を、ＭＰＥＧ２−ＴＳ（Moving Picture Experts Group - Transport Stream）方式のトラスポートストリームにパケット化して格納する。
トラスポートストリームは、放送局毎に割り当てられた周波数の搬送波を用いてＯＦＤＭ（Orthogonal Frequency-Division Multiplexing）方式でチャンネル変調され、放送局から配信される。
搬送波の周波数は、放送エリア毎、基地局毎に異なる。
【００１４】
図１の車載受信機１は、第１アンテナ１１ａ、第２アンテナ１１ｂ、第３アンテナ１１ｃ、第４アンテナ１１ｄ、第１チューナ部１２ａ、第２チューナ部１２ｂ、第３チューナ部１２ｃ、第４チューナ部１２ｄ、チャンネルデコードＩＣ（Integrated Circuit、集積回路）３１、ソースデコードＩＣ３２、メモリＩＣ１６、表示部２０、マイクロコンピュータＩＣ３３、操作部２１を有する。
図１の車載受信機１では、操作部２１が放送局のチャンネルを選択し、選択した放送局の地上デジタルテレビジョン放送を受信し、表示部２０に表示する。
ユーザは、表示部２０に表示された映像コンテンツにより、放送番組を視聴できる。
【００１５】
第１アンテナ１１ａ、第２アンテナ１１ｂ、第３アンテナ１１ｃ、第４アンテナ１１ｄの４本のアンテナは、地上デジタルテレビジョン放送を受信するためのアンテナである。
車載受信機１では、車両の移動中に電波を受信する必要があるため、複数本のアンテナを利用する。
家庭などに固定設置される受信機が１本のアンテナで地上デジタルテレビジョン放送を受信するのに対し、車載受信機１は、良好な受信のために複数本のアンテナを必要とする。
たとえば、複数本のアンテナを切り替えて使用することで、空間ダイバーシティを実現できる。
また、複数のアンテナで受信した電波を合成することで、マルチパスなどのエラーを低減できる。
【００１６】
第１アンテナ１１ａは、第１チューナ部１２ａに接続される。第２アンテナ１１ｂは、第２チューナ部１２ｂに接続される。第３アンテナ１１ｃは、第３チューナ部１２ｃに接続される。第４アンテナ１１ｄは、第４チューナ部１２ｄに接続される。
第１チューナ部１２ａ、第２チューナ部１２ｂ、第３チューナ部１２ｃ、第４チューナ部１２ｄの４個のチューナ部は、たとえば各々に接続されたアンテナ１１ａ〜１１ｄから、放送電波信号が入力される。チューナ部１２ａ〜１２ｄは、マイクロコンピュータＩＣ３３の受信設定に基づく局部発信信号を用いて、それぞれのアンテナ１１ａ〜１１ｄアンテナから入力される放送電波信号を、図示外のミキサで中間周波数信号へ変換する。
【００１７】
第１チューナ部１２ａ、第２チューナ部１２ｂ、第３チューナ部１２ｃ、第４チューナ部１２ｄは、チャンネルデコードＩＣ３１に接続される。
チャンネルデコードＩＣ３１は、複数のアンテナ１１ａ〜１１ｄにより受信された複数の放送電波から、視聴するチャンネルのトラスポートストリームを生成する。
チャンネルデコードＩＣ３１は、受信した放送電波が地上デジタルテレビジョン放送であるか否かを判定する。地上デジタルテレビジョン放送である場合、復調動作を開始し、トラスポートストリームを生成する。
チャンネルデコードＩＣ３１は、たとえばＤＳＰ（Digital Signal Processor）である。ＤＳＰは、マイクロコンピュータの一種であり、ＡＤ（Analog to Digital）コンバータ、ＣＰＵ（Central Processing Unit）、メモリを有する。ＣＰＵがメモリに記憶されるプログラムを実行することにより、チャンネルデコードＩＣ３１に、キャリア合成部１３、第１生成ブロック１４、第２生成ブロック２３、パケット解析部２４が実現される。
チャンネルデコードＩＣ３１のメモリに記憶されるプログラムは、インターネットなどを通じてサーバ装置からダウンロードしたものでも、ＣＤ−ＲＯＭ（Compact Disc - Read Only Memory）などの記録媒体に記憶されていたものをインストールしたものでもよい。
【００１８】
第１生成ブロック１４は、第１トラスポートストリームを生成する。
第１トラスポートストリームは、ＭＰＥＧ２−ＴＳ方式のトラスポートストリームである。
チャンネルデコードＩＣ３１は、第１生成ブロック１４により生成された第１トラスポートストリームを、視聴するチャンネルのトラスポートストリームとして、ソースデコードＩＣ３２へ出力する。
【００１９】
第２生成ブロック２３は、第２トラスポートストリームを生成する。
第２トラスポートストリームは、ＭＰＥＧ２−ＴＳ方式のトラスポートストリームである。
第２生成ブロック２３は、生成した第２トラスポートストリームを、パケット解析部２４へ出力する。
パケット解析部２４は、第２トラスポートストリームを解析する。
【００２０】
ソースデコードＩＣ３２は、チャンネルデコードＩＣ３１に接続される。
ソースデコードＩＣ３２には、視聴するチャンネルのトラスポートストリームが入力される。
ソースデコードＩＣ３２には、メモリＩＣ１６が接続される。
ソースデコードＩＣ３２は、入力されたトラスポートストリームについてＤＥＭＵＸ処理などを実行する。
これにより、視聴するチャンネルのトラスポートストリームから、該チャンネルの放送番組のエレメンタリストリームが抽出される。
【００２１】
なお、チャンネルデコードＩＣ３１内部の各ブロックについては、後述する。
【００２２】
ソースデコードＩＣ３２は、たとえばＤＳＰである。ＤＳＰは、マイクロコンピュータの一種であり、ＣＰＵ、メモリを有する。ＣＰＵがメモリに記憶されるプログラムを実行することにより、ソースデコードＩＣ３２に、デマルチプレクサ部（ＤＥＭＵＸ部）１５、Ｈ．２６４デコーダ部１７、ＭＰＥＧデコーダ部１８、映像・音声出力切換部１９が実現される。
ソースデコードＩＣ３２のメモリに記憶されるプログラムは、インターネットなどを通じてサーバ装置からダウンロードしたものでも、ＣＤ−ＲＯＭなどの記録媒体に記憶されていたものをインストールしたものでもよい。
【００２３】
デマルチプレクサ部（ＤＥＭＵＸ部）１５には、チャンネルデコードＩＣ３１から、視聴するチャンネルのトラスポートストリームが入力される。
デマルチプレクサ部（ＤＥＭＵＸ部）１５は、トラスポートストリームに多重化されているコンテンツを、エレメンタリストリーム毎に分離する。
デマルチプレクサ部（ＤＥＭＵＸ部）１５は、トラスポートストリームから、たとえば映像コンテンツのエレメンタリストリーム、音声コンテンツのエレメンタリストリーム、データ放送用のエレメンタリストリームを分離する。
分離されたエレメンタリストリームは、メモリＩＣ１６に一時保存される。
【００２４】
地上波デジタル放送において、各放送局に割り当てられたチャンネル帯域は、１３のセグメントに分割して利用される。
一例として、チャンネル帯域の中央の１つのセグメントはＱＰＳＫ（Quadrature Phase Shift Keying）方式で変調され、残りの１２個のセグメントは６４ＱＡＭ（Quadrature Amplitude Modulation）方式で変調される。
【００２５】
Ｈ．２６４デコーダ部１７は、Ｈ．２６４方式で符号化された映像コンテンツデータおよびＡＡＣ（Advanced Audio Coding）方式で符号化された音声コンテンツデータを復号する。
ＭＰＥＧデコーダ部１８は、ＭＰＥＧ２方式で符号化された映像コンテンツデータおよびＡＡＣ方式で符号化された音声コンテンツデータを復号する。
映像・音声出力切換部１９は、Ｈ．２６４デコーダ部１７およびＭＰＥＧデコーダ部１８の一方を選択する。
映像・音声出力切換部１９は、選択したデコーダ部の映像等の信号を出力する。
【００２６】
表示部２０は、たとえば液晶ディスプレイデバイスである。
表示部２０は、ソースデコードＩＣ３２に接続される。
表示部２０は、ソースデコードＩＣ３２から、映像又は音声の信号が入力される。
表示部２０は、映像またはデータ放送用画面を表示する。
【００２７】
操作部２１は、たとえばタッチパネルデバイス、キー入力デバイスである。
操作部２１は、マイクロコンピュータＩＣ３３に接続される。
操作部２１は、ユーザ操作に基づく操作データを、マイクロコンピュータＩＣ３３へ出力する。
【００２８】
マイクロコンピュータＩＣ３３は、第１チューナ部１２ａ、第２チューナ部１２ｂ、第３チューナ部１２ｃ、第４チューナ部１２ｄ、チャンネルデコードＩＣ３１、ソースデコードＩＣ３２に接続される。
マイクロコンピュータＩＣ３３は、ＣＰＵ、メモリを有する。
ＣＰＵがメモリに記憶されるプログラムを実行することにより、マイクロコンピュータＩＣ３３に、受信機制御部２２が実現される。
【００２９】
受信機制御部２２は、車載受信機１の動作を制御する。
たとえば、受信機制御部２２は、操作部２１により選択されたチャンネルに基づいて、該チャンネルの放送電波を受信して再生するように、第１チューナ部１２ａ、第２チューナ部１２ｂ、第３チューナ部１２ｃ、第４チューナ部１２ｄ、チャンネルデコードＩＣ３１、ソースデコードＩＣ３２に対して、受信設定を実行する。
視聴中の放送電波が弱くなると、受信機制御部２２は、該チャンネルの再生を続けながら他の同一番組の放送をサーチし、サーチした放送に切り替える受信設定を実行する。
視聴中のチャンネルサーチのために、受信機制御部２２は、第１チューナ部１２ａ、第２チューナ部１２ｂ、第３チューナ部１２ｃ、第４チューナ部１２ｄ、チャンネルデコードＩＣ３１、ソースデコードＩＣ３２に対して、受信設定を実行する。
その後、受信機制御部２２は、サーチされたチャンネルの放送電波を受信して再生するように、第１チューナ部１２ａ、第２チューナ部１２ｂ、第３チューナ部１２ｃ、第４チューナ部１２ｄ、チャンネルデコードＩＣ３１、ソースデコードＩＣ３２に対して、受信設定を実行する。
【００３０】
図２は、視聴できない場合にチャンネルをサーチする一般的な車載受信機１の概略構成図である。
図２の車載受信機１のチャンネルデコードＩＣ８１は、キャリア合成部１３と、第１生成ブロック１４とを有する。チャンネルデコードＩＣ８１は、１系統のトラスポートストリームを生成する。
図２のこれ以外の各部は、図１の同名のものと同様であり、説明を省略する。
【００３１】
図２の車載受信機１は、４本のアンテナ１１ａ〜１１ｄで１系統の放送電波を受信して再生する。
図２の車載受信機１は、一般的な４チューナキャリア合成ダイバー方式の受信機である。
地上デジタルテレビジョン放送の車載受信機１には、大きく分けて二種類ある。
１種類目は、チャンネル帯域の中央のワンセグメント放送（Ａ階層）を受信する移動体用の受信機である。
他の種類は、チャンネル帯域の両側の１２セグメント放送（Ｂ階層）を受信する固定受信用の受信機である。
固定受信用の受信機には、チャンネル帯域の中央のワンセグメントを併せて受信できるものがある。
図２の車載受信機１は、ワンセグメント放送と、１２セグメント放送とを受信できる。
【００３２】
あるチャンネルの放送電波を視聴のために受信する場合、図２の受信機制御部２２は、操作部２１により選択されたチャンネルの放送電波を受信して再生するように、第１チューナ部１２ａ、第２チューナ部１２ｂ、第３チューナ部１２ｃ、第４チューナ部１２ｄ、チャンネルデコードＩＣ８１、ソースデコードＩＣ３２へ受信設定する。
第１チューナ部１２ａ、第２チューナ部１２ｂ、第３チューナ部１２ｃ、第４チューナ部１２ｄは、設定されたチャンネルの放送電波を受信する。
チャンネルデコードＩＣ８１は、該チャンネルの放送電波によるトラスポートストリームを生成する。
ソースデコードＩＣ３２は、ＤＥＭＵＸ部１５により抽出されたエレメンタルストリームをデコードする。これにより、放送番組の映像、音声のデータ、データ放送用のデータが生成される。
表示部２０は、該デコードされたデータに基づいて、放送番組の動画を表示する。
これにより、図２の車載受信機１では、操作部２１が放送局のチャンネルを選択し、選択したチャンネルの地上デジタルテレビジョン放送を受信し、再生できる。
ユーザは、表示部２０に表示された映像コンテンツを視聴できる。
【００３３】
ところで、地上波デジタル放送では、日本全土を複数のエリアに分け、各エリア毎に放送が管理されている。たとえば関東広域圏エリアでは、各放送事業者のカバーエリアは、１都７県とされる。
このため、同一番組を放送する親局の放送電波の周波数と、中継局または系列局の放送電波の周波数とは、地域ごとに異なる。
現在の日本国内の地上デジタルテレビジョン放送では、親局と中継局とが同一周波数で中継ネットワークを組むＳＦＮ（Single Frequency Network）方式と、異なる周波数で中継ネットワークを組むＭＦＮ（Multi Frequency Network）方式とが採用されている。
このような放送環境では、各放送番組が、全ての放送エリアにおいて同一周波数（ＳＦＮ）で配信されているとは言えない。
各放送番組のチャンネル周波数は、県単位もしくはそれ以下のブロック単位で、異なる周波数になる。
そのため、車両に搭載されて移動する車載受信機１は、たとえば車両が親局の受信エリアを外れると、受信周波数を、中継局の周波数に切り替える必要がある。
車載受信機１は、たとえば親局のエリアを外れると、視聴中の番組を放送している中継局または系列局の受信周波数をサーチし、視聴するチャンネルを該中継局または系列局のチャンネルに変更する必要がある。
視聴を継続するためには、視聴中にチャンネルサーチを実行し、視聴する周波数を、サーチした局の周波数に切り替える必要がある。
【００３４】
次に、図２の車載受信機１での、チャンネルサーチについて説明する。
図２の車載受信機１では、たとえば視聴中のチャンネルの放送電波の受信強度が低下し、その受信ができなくなると、チャンネルサーチを実行する。
チャンネルサーチにおいて、受信機制御部２２は、同一番組を放送している他の放送局の放送電波をサーチする。受信機制御は、第１チューナ部１２ａ、第２チューナ部１２ｂ、第３チューナ部１２ｃ、第４チューナ部１２ｄに、サーチ対象のチャンネルを設定する。
チャンネルデコードＩＣ８１は、サーチ対象の放送電波による４つの放送電波信号を合成し、該チャンネルの放送電波に含まれるトラスポートストリームを生成する。
ソースデコードＩＣ３２は、トラスポートストリームのＤＥＭＵＸ処理を行い、放送番組のエレメンタリストリームとＰＳＩ／ＳＩ情報などのセクションデータとに分離する。
受信機制御部２２は、ＤＥＭＵＸにより分離されたＰＳＩ／ＳＩ情報（セクションデータ）内のＮＩＴ等の放送局固有のデータを比較して、チャンネルの放送内容が一致するか否かを判断する。
放送内容が一致する場合、受信機制御部２２は、受信するチャンネルを該チャンネルに維持し、視聴のための受信を開始する。
放送内容が一致しない場合、受信機制御部２２は、次のチャンネルの放送電波を受信するための設定を実行する。
受信機制御部２２は、視聴が中断されたチャンネルと同じ放送番組を放送するチャンネルが得られるまで、チャンネルサーチを繰り返す。
以上のチャンネルサーチ処理により、視聴が中断された番組を放送しているチャンネルが検出されると、図２の車載受信機１は、視聴するチャンネルを該検出されたチャンネルに切り替える。
視聴者は、視聴が中断された番組の視聴を継続できる。
【００３５】
しかしながら、図２のチャンネルデコードＩＣ８１は、１系統のトラスポートストリームしか生成できない。チャンネルサーチ中は、一般的に、無用な映像や音声が出力されることがないように、映像および音の出力が停止される。
このため、図２の車載受信機１は、上述したように、チャンネルサーチ中に番組を視聴できない。
チャンネルサーチにより、番組の視聴が中断される。
その結果、図２の車載受信機１では、視聴中のチャンネルが受信できなくなってから、同一の番組が視聴可能になるまでに時間がかかる。その長い中断期間において、番組が再生されず、無音となる。
【００３６】
これに対し、このような視聴の中断を防止するため、高機能の車載受信機１では、４つのチューナ部を２以上の組に分けて、視聴とサーチを同時並列的に実行する機能を有する。視聴中のチャンネルサーチが可能になっている。
【００３７】
図３は、視聴中のチャンネルサーチが可能な車載受信機１の概略構成図である。
図３の車載受信機１は、チャンネルデコードＩＣ９１と、ソースデコードＩＣ９２とを有する。
図３のこれ以外の各部は、図１の同名のものと同様であり、説明を省略する。
【００３８】
図３の車載受信機１のチャンネルデコードＩＣ９１は、キャリア合成部１３と、第１生成ブロック１４と、第２生成ブロック２３とを有する。チャンネルデコードＩＣ９１は、２系統のトラスポートストリームを生成できる。
視聴中にチャンネルをサーチする場合、キャリア合成部１３は、受信機制御部２２の設定に基づいて、第１チューナ部１２ａ、第２チューナ部１２ｂ、第３チューナ部１２ｃ、第４チューナ部１２ｄを、視聴用と、サーチ用とに分ける。
【００３９】
ソースデコードＩＣ９２は、第１デマルチプレクサ部（ＤＥＭＵＸ部）１５ａ、第１Ｈ．２６４デコーダ部１７ａ、第１ＭＰＥＧデコーダ部１８ａ、第１映像・音声出力切換部１９ａ、第２デマルチプレクサ部（ＤＥＭＵＸ部）１５ｂ、第２Ｈ．２６４デコーダ部１７ｂ、第２ＭＰＥＧデコーダ部１８ｂ、第２映像・音声出力切換部１９ｂを有する。
第１デマルチプレクサ部（ＤＥＭＵＸ部）１５ａ、第１Ｈ．２６４デコーダ部１７ａ、第１ＭＰＥＧデコーダ部１８ａ、第１映像・音声出力切換部１９ａは、チャンネルデコードＩＣ９１の第１生成ブロック１４により生成された第１トラスポートストリームをデコードする。
第２デマルチプレクサ部（ＤＥＭＵＸ部）１５ｂ、第２Ｈ．２６４デコーダ部１７ｂ、第２ＭＰＥＧデコーダ部１８ｂ、第２映像・音声出力切換部１９ｂは、チャンネルデコードＩＣ９１の第２生成ブロック２３により生成された第２トラスポートストリームをデコードする。
【００４０】
次に、図３の車載受信機１での、視聴中のチャンネルサーチ処理について説明する。
図３の車載受信機１において、たとえば視聴中のチャンネルの放送電波の受信強度が低下すると、受信機制御部２２は、第１チューナ部１２ａ、第２チューナ部１２ｂ、第３チューナ部１２ｃ、第４チューナ部１２ｄを、視聴用と、サーチ用とに分ける。
これにより、第１生成ブロック１４からソースデコードＩＣ９２へ第１トラスポートストリームが出力される。ソースデコードＩＣ９２は、第１デマルチプレクサ部（ＤＥＭＵＸ部）１５ａ、第１Ｈ．２６４デコーダ部１７ａ、第１ＭＰＥＧデコーダ部１８ａ、第１映像・音声出力切換部１９ａにより、第１トラスポートストリームをデコードして出力する。表示部２０には、チャンネルサーチ中であっても、視聴中の番組が表示され続ける。
また、第２生成ブロック２３からソースデコードＩＣ９２へ第２トラスポートストリームが出力される。ソースデコードＩＣ９２は、第２デマルチプレクサ部（ＤＥＭＵＸ部）１５ｂ、第２Ｈ．２６４デコーダ部１７ｂ、第２ＭＰＥＧデコーダ部１８ｂ、第２映像・音声出力切換部１９ｂにより、第２トラスポートストリームをデコードして出力する。
ソースデコードＩＣ９２は、第２デマルチプレクサ部（ＤＥＭＵＸ部）１５ｂ、第２Ｈ．２６４デコーダ部１７ｂ、第２ＭＰＥＧデコーダ部１８ｂ、第２映像・音声出力切換部１９ｂにより、第２トラスポートストリームをデコードして出力する。
【００４１】
ソースデコードＩＣ９２により生成されたＰＳＩ／ＳＩ情報などのセクションデータは、受信機制御部２２に入力される。
受信機制御部２２は、サーチ対象である第２トラスポートストリームの番組内容と、視聴中の第１トラスポートストリームの番組内容とを、ＳＩ／ＳＩ情報などのセクションデータを用いて比較する。
これらの放送内容が一致しない場合、受信機制御部２２は、次のチャンネルの放送電波を受信して再生するように、受信設定する。受信機制御部２２は、放送内容が一致するチャンネルが得られるまで、以上の処理を繰り返す。
そして、放送内容が一致する第２トラスポートストリームが得られると、受信機制御部２２は、視聴のために受信するチャンネルを該チャンネルに切り替える。受信機制御部２２は、第１チューナ部１２ａ、第２チューナ部１２ｂ、第３チューナ部１２ｃ、第４チューナ部１２ｄを、４チューナ合成に戻し、サーチ対象である第２トラスポートストリームを、視聴用に切り替える。
【００４２】
以上の制御により、図３の車載受信機１は、視聴中にチャンネルをサーチし、視聴するチャンネルを、サーチした同一番組のチャンネルに切り替え、視聴中の番組の受信を継続できる。
図３の車載受信機１は、たとえば現在視聴しているチャンネルよりも受信電界レベルが高いチャンネルをサーチし、チャンネルを切り替えることができる。
また、図３の車載受信機１では、２番組を同時に受信して再生できるため、チャンネルのサーチ中に視聴のための再生が中断されない。
視聴する番組がシームレスに再生されるように、チャンネルを切り替えることができる。
【００４３】
このように、図３の高価な車載受信機１では、受信再生系統を２組で設け、一方の組で視聴を継続しつつ、他方の組で中継局のサーチを行うことができる。また、両者の放送内容を比較することで、最適なタイミングでチャンネルを切換えることができる。
しかしながら、図３の車載受信機１では、２系統の同時受信を可能にするために、チャンネルデコードＩＣ９１およびソースデコードＩＣ９２として、高機能のＩＣを使用する必要がある。チャンネルデコードＩＣ９１は、２つのＭＰＥＧ２−ＴＳを同時並列的に出力できる必要がある。ソースデコードＩＣ９２は、２つのＭＰＥＧ２−ＴＳを同時並列的に処理する必要がある。図３のチャンネルデコードＩＣ９１およびソースデコードＩＣ９２は、図２のチャンネルデコードＩＣ８１およびソースデコードＩＣ３２と比べて高機能で複雑である。
その結果、車載受信機１は、複雑化し、高価になる。
【００４４】
なお、図３の車載受信機１において、チャンネルデコードＩＣ９１を系統数分で分割し、ソースデコードＩＣ９２を系統数分で分割してもよい。
この場合、チャンネルデコードＩＣおよびソースデコードＩＣとして、１系統に対応した汎用的なＩＣを利用できる。
しかしながら、この変形例においても、図２の１系統だけを受信する車載受信機１に比べて、使用するＩＣの個数が増え、ＩＣ同士の接続が複雑になり、車載受信機１が高価になる。
【００４５】
また、図２または図３の車載受信機１では、サーチ対象のチャンネルのトラスポートストリームを、ソースデコードＩＣ８１，９１でデコードし、受信機制御部２２が、デコード後の番組内容を比較し、視聴中のチャンネルの番組内容とサーチしたチャンネルの番組内容との一致を判定している。
この場合、図２の車載受信機１では、サーチ処理のために、番組の視聴を中止する必要がある。
図３の車載受信機１では、ソースデコードＩＣ９２のデマルチプレクサ部（ＤＥＭＵＸ部）１５、Ｈ．２６４デコーダ部１７、ＭＰＥＧデコーダ部１８、映像・音声出力切換部１９を、系統数分で複数設ける必要がある。
【００４６】
そこで、本実施形態では、車載受信機１の複雑化を抑えつつ、視聴中でのチャンネルサーチを実現する。
図１に示すように、チャンネルデコードＩＣ３１に、第２生成ブロック２３、パケット解析部２４を設ける。
パケット解析部２４は、第１生成ブロック１４により生成される第１トラスポートストリームの放送内容と、第２生成ブロック２３により生成される第２トラスポートストリームの放送内容との一致を判定する。
この結果、本実施形態の車載受信機１では、図２の安価な車載受信機１のようにチャンネルサーチにより音切れなどを起こすことはない。また、図３の高価な車載受信機１のように受信機が複雑で高機能化されることもない。
【００４７】
以下、本実施形態での視聴中のチャンネルサーチ処理について説明する。
図４および図５は、放送電波により配信されるＭＰＥＧ２−ＴＳ方式のパケット４１のデータ構造の説明図である。
図４の上段は、パケット４１のデータ構造の説明図である。下段は、パケット４１の詳細なデータ構造の説明図である。
図５は、パケット４１に含まれる各データの名称、ビット数、パケット４１での格納位置を示す。上側のデータから順番に、図４のパケット４１の左側から格納される。
【００４８】
トラスポートストリームは、複数のＭＰＥＧ２−ＴＳ方式のパケット４１で構成される。
複数のＭＰＥＧ２−ＴＳ方式のパケット４１は、トラスポートストリームにおいて時系列に並べられる。
ＭＰＥＧ２−ＴＳ方式のパケット４１は、ヘッダ４２と、ペイロード４３とを有し、１８８バイトを基本のパケットサイズとする。
【００４９】
ヘッダ４２は、パケット４１の先頭４バイトのデータである。
ヘッダ４２は、８ビットの同期バイト（シンクバイト）、１ビットのトランスポート・エラー表示ビット、１ビットのペイロード・ユニット・スタート表示ビット、１ビットの優先度表示ビット、１３ビットのＰＩＤ（Packet ID）ビット４４、２ビットのスクランブル制御ビット、２ビットのアダプテーション・フィールド制御ビット、４ビットの連続性カウンタビット、を有する。
ＭＰＥＧ２−ＴＳ方式のトラスポートストリームにおいて、ヘッダ４２の構造は、たとえばＰＥＳ（Packetized Elementary Stream）のパケット、セクション用のパケットなどのパケット４１の種類に関係なく、全てのパケット４１に共通している。
【００５０】
同期バイトは、パケット４１の先頭を示す。複数種類のパケット４１に共通する０ｘ４７の固定値である。車載受信機１は、この値により、パケット４１の先頭を検出する。
トランスポート・エラー表示ビットは、当該パケット４１のビット・エラーの有無を示す。ビット・エラーが含まれる場合、「１」となる。
ペイロード・ユニット・スタート表示ビットは、当該パケット４１に、ＰＥＳまたはセクションの先頭データが存在していることを示す。
優先度表示ビットは、パケット４１の重要度を示す。
ＰＩＤビット４４は、パケット４１識別用の１３ビットの情報である。ＰＩＤビット４４により、当該パケット４１の種類を識別できる。本実施形態では、番組の一致判定に利用する。
スクランブル制御ビットは、ペイロード４３部のスクランブルの有無と種類を識別するために利用される。
アダプテーション・フィールド制御ビットは、アダプテーション・フィールドとペイロード４３の有無を示す。「０１」であれば、ヘッダ４２の後にペイロード４３が続く。「１０」であれば、ヘッダ４２の後にアダプテーション・フィールドが続く。「１１」であれば、ヘッダ４２構造の後に、アダプテーション・フィールドとペイロード４３とが続く。
連続性カウンタビットは、ＰＩＤごとに1つずつインクリメントされる4ビットの巡回カウント値である。
【００５１】
ＭＰＥＧ２−ＴＳ方式のパケット４１の後半の１８４バイトは、ヘッダ４２に続くデータバイトである。データバイトは、ペイロード４３および／またはアダプテーション・フィールドを含む。データバイトは、アダプテーション・フィールド、ペイロード（データ本体）４３、または、アダプテーション・フィールドおよびペイロード４３、の３種類のデータ構造をとる。
アダプテーション・フィールドは、たとえば、ＰＣＲ（Program Clock Reference）などの付加情報、各データの余剰部分のスタッフィングとして利用される。
ペイロード４３は、放送番組のコンテンツデータを格納する。
各パケット４１のデータバイトがいずれのデータ構造であるかは、アダプテーション・フィールド制御ビットで示される。アダプテーション・フィールド制御ビットが「０１」または「１１」の場合、ＰＩＤビット４４で指定された種類のデータが、ペイロード４３に格納される。
【００５２】
地上デジタル放送のＭＰＥＧ２−ＴＳ方式のパケット４１には、サービスを構成する映像や音声のストリーム、データなどの素材を伝送するためのものがある。
この他にも、ＭＰＥＧ２−ＴＳ方式のパケット４１には、ＰＳＩ（Program Specific Information）と呼ばれるトランスポートストリームの構造を示す情報や、ＳＩ（Service Information）と呼ばれる番組名や放送局の情報などを伝送するためのものがある。
これらの情報が、１つのトラスポートストリームに多重化される。
ＰＳＩ／ＳＩ情報を受信側で解読することにより、各データのストリームを正確に判断できる。
映像や音声のエレメンタリストリームだけでなく、複数のプログラムのストリームを、トラスポートストリームから正確に抽出できる。
各パケット４１にどのようなデータが格納されているかを識別するために、ペイロード４３・データの種類ごとに、個別のＰＩＤ（Packet Identifier）が使用される。
ＭＰＥＧ２−ＴＳ方式のパケット４１の解析では、まず、どのＰＩＤが、何のデータに対応しているのかを知ることが必要となる。
【００５３】
図６は、地上デジタル放送のＭＰＥＧ２−ＴＳ方式のパケット４１での、ＰＩＤの割り当てを説明する図である。
図６には、テーブル名、ＰＩＤ、テーブルＩＤが図示されている。
図６に示される複数のＰＩＤは、日本国内の地上デジタル放送のために、ＡＲＩＢ（社団法人電波産業会）規格により予約されたものである。
図６には、ＰＩＤとして、たとえば、ＰＡＴ（Program Associate Table）、ＰＭＴ（Program Map Table）、ＮＩＴ（Network Information Table）、ＢＩＴ（Broadcaster Information Table）などが示されている。
そして、たとえば、ＰＡＴのＰＩＤは「０ｘ００００」であり、テーブルＩＤは「０ｘ００」である。ＰＡＴのパケット４１には、これらの情報が格納される。
【００５４】
図７は、図６のＰＡＴに対応するセクションパケット４１の構造を説明する図である。
ＰＡＴは、番組の構成を示すテーブルである。サービスＩＤと、ＰＭＴのＰＩＤとを対応付けるテーブルである。
図７に示すように、ＰＡＴのセクションパケット４１は、テーブルＩＤビット、セクション・シンタックス指示ビット、０固定ビット、リザーブビット、セクション長ビット、ＴＳＩＤ（Transport Stream ID）ビット、リザーブビット、バージョン番号ビット、カレント・ネクスト表示ビット、セクション番号ビット、最終セクション番号ビット、サービスＩＤビット、リザーブビット（「１１１」に固定）、プログラム・マップビット、ＰＩＤまたはネットワークＩＤビット、ＣＲＣ３２ビット、を有する。
リザーブビット（111固定）、プログラム・マップビット、ＰＩＤまたはネットワークＩＤビットは、多重化されるプログラムの個数分で繰り返される。
ＰＡＴには、放送電波のトラスポートストリームに多重化されるすべてのプログラムが記述される。
ＭＰＥＧ２−ＴＳ方式のパケット４１を解析する場合、まず、このＰＡＴ（PID=0x0000）を検出し、その内容を解析する必要がある。
【００５５】
図８は、図６のＰＭＴに対応するセクションパケット４１の構造を説明する図である。
ＰＭＴは、番組を構成する各エレメンタリストリームの情報と、それに対応するＰＩＤとを指定するテーブルである。映像や音声など各ストリーム毎に設けられる。
図８に示すように、ＰＭＴは、テーブルＩＤビット、セクション・シンタックス指示ビット、０固定ビット、リザーブビット、セクション長ビット、サービスＩＤビット、リザーブビット、バージョン番号ビット、カレント・ネクスト表示ビット、セクション番号ビット、最終セクション番号ビット、リザーブビット、ＰＣＲ（Program Clock Reference）−ＰＩＤビット、リザーブビット、番組情報長ビット、第１ループ（可変長）ビット、ＣＡ記述子ビット、デジタルコピー制御記述子ビット、緊急情報記述子ビット、コンテント利用記述子ビット、ストリーム・タイプビット、リザーブビット、ＥＳ  ＰＩＤビット、リザーブビット、ＥＳ情報ビット、第２ループ（可変長）ビット、ＣＡ記述子ビット、ストリーム識別記述子ビット、デジタルコピー制御記述子ビット、ビデオデコード制御記述子ビット、ＣＲＣ３２ビット、を有する。
ストリーム・タイプビット、リザーブビット、ＥＳ  ＰＩＤビット、リザーブビット、ＥＳ情報ビット、第２ループ（可変長）ビット、ＣＡ記述子ビット、ストリーム識別記述子ビット、デジタルコピー制御記述子ビット、ビデオデコード制御記述子ビットは、エレメンタリストリーム毎に繰り返される。
このように、ＰＭＴには、ＰＩＤ、エレメンタリストリームの種別、番組が参照するＰＣＲが記述される。また、記述子（Descriptor）と呼ばれる付加情報を記載するエリアが設けられる。該当するサービス全体、もしくは個別のストリームについての情報を付加することも可能である。
【００５６】
図９は、図６のＮＩＴに対応するセクションパケット４１の構造を説明する図である。
ＮＩＴは、放送曲や放送網など伝送路に関する情報を記述するテーブルである。地上デジタル放送では、チャンネルサーチにて利用される。ＮＩＴは、地上デジタル放送では、中継局のサーチやスキャンの際に利用される重要なテーブルである。
サービスＩＤ「０ｘ００００」は、ＮＩＴ専用の番号である。
トラスポートストリームにＮＩＴが存在する場合、ＮＩＴは、ＰＭＴと同じ書式で記述される。
図９に示すように、ＮＩＴは、テーブルＩＤビット、セクション・シンタックス指示ビット、０固定ビット、リザーブビット、セクション長ビット、ネットワークＩＤビット、リザーブビット、バージョン番号ビット、カレント・ネクスト表示ビット、セクション番号ビット、最終セクション番号ビット、リザーブビット、ネットワーク記述子長ビット、第１ループ（可変長）ビット、ネットワーク名記述子ビット、システムマネージメント記述子ビット、リザーブビット、ＴＳループ長ビット、ＴＳＩＤビット、オリジナルネットワークＩＤビット、リザーブビット、トランスポート記述子長ビット、第２ループ（可変長）ビット、サービスリスト記述子ビット、地上分配システム記述子ビット、部分受信記述子ビット、ＴＳ情報記述子ビット、ＣＲＣ３２ビット、を有する。
ＴＳＩＤビット、オリジナルネットワークＩＤビット、リザーブビット、トランスポート記述子長ビット、第２ループ（可変長）ビット、サービスリスト記述子ビット、地上分配システム記述子ビット、部分受信記述子ビット、ＴＳ情報記述子ビットは、トランスポートストリーム毎に繰り返される。
【００５７】
ＢＩＴは、地上ブロードキャスタの情報、伝送パラメータの情報を記載するテーブルである。
ＢＩＴは、系列局の判定に使用できるアフィリエーションＩＤを含む。
【００５８】
図１０は、図１のチャンネルデコードＩＣ３１の第２生成ブロック２３およびパケット解析部２４の詳細な構成を示すブロック図である。
なお、図１０には、第１ＡＤ変換部５１ａ、第２ＡＤ変換部５１ｂ、第１直交復調部５２ａ、第２直交復調部５２ｂ、第１ＦＦＴ（Fast Fourier Transform）５３ａ、第２ＦＦＴ５３ｂ、キャリア合成部１３も図示されている。
図１０は、第２生成ブロック２３が、視聴中のチャンネルサーチ処理において、第３チューナ部１２ｃのＯＦＤＭの中間周波数信号と、第４チューナ部１２ｄのＯＦＤＭの中間周波数信号とから、第２トラスポートストリームを生成する場合の例である。
視聴中のチャンネルサーチ処理において、第１トラスポートストリームは、ソースデコーダＩＣへ出力される。これにより、チャンネルサーチ処理中に、第１トラスポートストリームによる番組の視聴が継続できる。これに対し、サーチ用の第２トラスポートストリームは、ソースデコーダＩＣへ出力されない。
【００５９】
図１０の第２生成ブロック２３は、周波数デインタリーブ部５５、時間デインタリーブ部５６、デマッピング部５７、パラレルシリアル変換部５８、ビット階層分離部５９、第１ビットデインタリーブ部６０ａ、第２ビットデインタリーブ部６０ｂ、第３ビットデインタリーブ部６０ｃ、第１デパンクチャ部６１ａ、第２デパンクチャ部６１ｂ、第３デパンクチャ部６１ｃ、ビット階層合成部６２、ＮＵＬＬパケット挿入部６３、ビタビ復号部６４、バイト階層分離部６５、第１バイトデインタリーブ部６６ａ、第２バイトデインタリーブ部６６ｂ、第３バイトデインタリーブ部６６ｃ、第１エネルギー逆拡散部６７ａ、第２エネルギー逆拡散部６７ｂ、第３エネルギー逆拡散部６７ｃ、バイト階層合成部６８、ＲＳ復号部６９、を有する。
【００６０】
第３チューナ部１２ｃのＯＦＤＭの中間周波数信号は、第１ＡＤ変換部５１ａでデジタル変換され、第１直交復調部５２ａにより復調され、第１ＦＦＴ５３ａにより周波数変換される。第３チューナ部１２ｃの中間周波数信号は、第１ＡＤ変換部５１ａにより離散化したベースバンド信号に変換され、第１ＦＦＴ５３ａによりデータ復調される。
第４チューナ部１２ｄのＯＦＤＭの中間周波数信号は、第２ＡＤ変換部５１ｂでデジタル変換され、第２直交復調部５２ｂにより復調され、第２ＦＦＴ５３ｂにより周波数変換される。第４チューナ部１２ｄの中間周波数信号は、第２ＡＤ変換部５１ｂにより離散化したベースバンド信号に変換され、第２ＦＦＴ５３ｂによりデータ復調される。
キャリア合成部１３は、第１ＦＦＴ５３ａの出力信号と、第２ＦＦＴ５３ｂの出力信号とを合成する。キャリア合成部１３は、ＦＦＴした結果を合成する。
これにより、単体のアンテナで放送電波を受信した場合に比べて、フェージングなどの影響が抑制される。
【００６１】
キャリア合成された信号は、周波数デインタリーブ部５５によりＯＦＤＭのサブキャリアの順番が並べ替えられ、時間デインタリーブ部５６により信号の順番が並べ替えられる。その後、デマッピング部５７によりデータの復調がされ、パラレルシリアル変換部５８によりデータの変換が行われる。
パラレルシリアル変換部５８から出力されるデータ列は、ビット階層分離部５９で、たとえば３つの階層毎に分離される。第１階層のデータは、第１ビットデインタリーブ部６０ａによりビット単位で順番が入れ替えられ、第１デパンクチャ部６１ａにより冗長データが追加される。第２階層のデータは、第２ビットデインタリーブ部６０ｂによりビット単位で順番が入れ替ええれ、第２デパンクチャ部６１ｂにより冗長データが追加される。第３階層のデータは、第３ビットデインタリーブ部６０ｃによりビット単位で順番が入れ替ええれ、第３デパンクチャ部６１ｃにより冗長データが追加される。第１階層、第２階層、第３階層は、たとえば放送局に割り当てられた帯域の中心セグメントであるワンセグメント放送（A階層）、周波数帯の一方側の６個のセグメントによる放送（B階層の一部）、周波数帯の他方側の６個のセグメントによる放送（B階層の残部）に対応する。第１階層のデータ、第２階層のデータ、第３階層のデータは、ビット階層合成部６２により合成される。
【００６２】
各階層でのビット・エラーが訂正されたトラスポートストリームは、ＮＵＬＬパケット挿入部６３により、ＮＵＬＬパケット４１が挿入される。
ビタビ復号部６４は、該トラスポートストリームの畳み込み符号を復号し、誤り訂正を実行する。
【００６３】
ビタビ復号されたトラスポートストリームは、バイト階層分離部６５で、たとえば３つの階層毎に分離される。第１階層のデータは、第１バイトデインタリーブ部６６ａによりバイト単位で順番が入れ替えられ、符号化に使用した擬似雑音系列が第１エネルギー逆拡散部６７ａにより掛け合わされる。第２階層のデータは、第２バイトデインタリーブ部６６ｂによりバイト単位で順番が入れ替えられ、符号化に使用した擬似雑音系列が第２エネルギー逆拡散部６７ｂにより掛け合わされる。第３階層のデータは、第３バイトデインタリーブ部６６ｃによりバイト単位で順番が入れ替えられ、符号化に使用した擬似雑音系列が第３エネルギー逆拡散部６７ｃにより掛け合わされる。第１階層のデータ、第２階層のデータ、第３階層のデータは、バイト階層合成部６８により合成され、トラスポートストリームに戻される。
ＲＳ復号部６９は、合成後のトラスポートストリームを復号し、誤り訂正を実行する。
【００６４】
図１０に示すチャンネルデコードＩＣ３１は、以上の構成を有する第２生成ブロック２３とともに、第２トラスポートストリームを解析するパケット解析部２４を有する。
パケット解析部２４は、ＰＩＤフィルタ設定部７１、パケットフィルタ７２、パケット比較部７３、情報一致判定部７４、チャンネル切り替え指示部７５を有する。
【００６５】
第２トラスポートストリームは、図４および図５に示すＭＰＥＧ２−ＴＳ方式のパケット４１が時系列に並べられたストリーミングデータである。ストリーミングデータは、パケット単位のデータ構造を有する。
また、第２トラスポートストリームには、たとえば図６から図９に例示するように、ＰＩＤの割り当てテーブルのパケット４１、ＰＡＴのパケット４１、ＰＭＴのパケット４１、ＮＩＴのパケット４１、ＢＩＴのパケット４１などが含まれる。
【００６６】
ＰＩＤフィルタ設定部７１は、第２トラスポートストリームに含まれる複数種類のパケット４１の中で、放送番組の一致判定に使用するパケット４１のＰＩＤ値などを設定する。
ＰＩＤフィルタ設定部７１は、たとえばＰＩＤ値を記憶可能なメモリで構成できる。
視聴中のチャンネルサーチのために、ＰＩＤフィルタ設定部７１には、受信機制御部２２により、現在視聴中の放送局のたとえばＮＩＴのＰＩＤ値が設定される。視聴中の第１トラスポートストリームのＮＩＴのＰＩＤ値が設定される。
【００６７】
パケットフィルタ７２は、第２トラスポートストリームから、パケット４１を分離する。
【００６８】
パケット比較部７３は、分離された各パケット４１と、第１トラスポートストリームのたとえばＮＩＴのパケット４１とを比較する。
パケット比較部７３は、特定のパケットについて、その先頭から所定の順番にあるビットを比較する。
【００６９】
情報一致判定部７４は、パケット比較部７３での比較結果に基づいて、第２トラスポートストリームの放送局情報と、第１トラスポートストリームの放送局情報との一致を判定する。
情報一致判定部７４は、ビット比較により、これらの一致を判定する。
抽出されたパケット４１の放送局情報が、設定されたＮＩＴのパケット４１の放送局情報と同一である場合、情報一致判定部７４は、サーチされたチャンネルが、視聴中のチャンネルと同じ番組を放送していると判断する。
【００７０】
チャンネル切り替え指示部７５は、情報一致判定部７４により放送局情報が一致すると判断された場合、切替信号を受信機制御部２２へ出力する。
受信機制御部２２は、チャンネル切り替え指示部７５からの切替信号の入力に基づいて、視聴するチャンネルを、サーチしたチャンネルに切り替える。
【００７１】
次に、図１０のパケット解析部２４の動作の一具体例を説明する。
以下の動作例で指定しているＰＩＤは、あくまで一例である。
【００７２】
視聴中の放送電波の電界強度が低下すると、受信機制御部２２は、チャンネルサーチを開始する。
受信機制御部２２は、ＰＩＤフィルタ設定部７１に、現在視聴中の放送局のたとえばＰＡＴのパケット４１のＰＩＤ値を設定する。
【００７３】
パケットフィルタ７２は、第２トラスポートストリームのデータを、パケット４１の単位で分離する。
第２トラスポートストリームのパケット４１は、その先頭の同期バイトが、「０ｘ４７」の固定値である。
パケットフィルタ７２は、第２トラスポートストリームについて、同期バイトを検出し、次の同期バイトまでのデータを、パケット４１として分離する。
【００７４】
パケット比較部７３は、パケットフィルタ７２により分離された複数のパケット４１から、放送局情報を含むパケット４１を抽出する。
抽出された各パケット４１において、同期バイトに続く２バイト分のデータのうち、下位１３ビットが、パケット４１のＰＩＤ値を示す。
パケット比較部７３は、ビット比較のために、抽出された各パケット４１から、この下位１３ビットを取得する。
パケット比較部７３は、取得した下位１３ビットと、ＰＩＤフィルタ設定部７１に設定された視聴中のＰＡＴパケット４１のＰＩＤ値とをビット比較する。視聴中のパケット４１のＰＩＤ値は、たとえば「０ｘ００００」である。
【００７５】
ビット比較により、パケット４１のＰＩＤ値が、視聴中のＰＡＴパケット４１のＰＩＤ値と一致する場合、情報一致判定部７４は、該パケット４１のペイロード４３に格納されているＰＡＴ情報を解読する。
情報一致判定部７４は、解読により得た放送局情報と、視聴中の放送局情報とが一致するか否かを判定する。
図７に示すＰＡＴのパケット４１は、先頭から３バイト目にＴＳＩＤを含む。ＴＳＩＤは、各放送局に固有の値である。
情報一致判定部７４は、たとえば、このサーチした中継局のＴＳＩＤと、現在視聴中の放送局のＴＳＩＤとの一致を判定する。そして、これらのＴＳＩＤが一致する場合、同じ番組を放送している放送局と判定する。
この場合、情報一致判定部７４は、ＰＡＴパケット４１の先頭から１７ビット目から１６ビット分のデータを取得し、現在視聴中の放送局のＴＳＩＤのビットのデータとビット比較する。
【００７６】
情報一致判定部７４によりＴＳＩＤが一致すると判断された場合、チャンネル切り替え指示部７５は、チャンネルの切替信号を受信機制御部２２へ出力する。
受信機制御部２２は、視聴するチャンネルを、サーチしたチャンネルに切り替える。
受信機制御部２２は、第１再生ブロックに、サーチしたチャンネルを設定する。
第１再生ブロックは、サーチしたチャンネルのトランスポートストリームを、第１トランスポートストリームとして生成する。
【００７７】
なお、中継局ではなく、系列局をサーチする場合、受信機制御部２２は、ＰＩＤフィルタ設定部７１に、たとえばＢＩＴのパケット４１のＰＩＤ値を設定すればよい。
ＢＩＴのパケット４１は、アフィリエーションＩＤを有する。
受信機制御部２２は、このアフィリエーションＩＤの値（０〜７をとる）が、視聴中のアフィリエーションＩＤと一致するか否かを判断することにより、サーチしたチャンネルが、視聴中の放送局の系列局であるか否かを判定できる。
【００７８】
以上のように、本実施形態の車載受信機１は、視聴するチャンネルの第１トランスポートストリームを生成するチャンネルデコードＩＣ３１に、パケット解析部２４を設ける。
パケット解析部２４は、視聴中のチャンネルサーチにおいて、視聴中のチャンネルの第１トランスポートストリームに含まれる放送局情報と、サーチされた他のチャンネルの第２トランスポートストリームの放送局情報とを比較する。
よって、本実施形態のソースデコードＩＣ３２は、１系統のトランスポートストリームをデコードすればよい。たとえばソースデコードＩＣ３２に、汎用的な１系統用のものを使用できる。
車載受信機１は、図３のものに比べて簡素化され、安価になる。
また、チャンネルデコードＩＣ３１は、視聴中の第１トランスポートストリームをデコードするとともに、サーチするチャンネルの第２トランスポートストリームをデコードする。車載受信機１は、図２のもののように視聴を中断することなくチャンネルをサーチできる。
また、チャンネルデコードＩＣ３１の第１生成ブロック１４は、受信機制御部２２により、サーチしたチャンネルの切替が指示される。
車載受信機１は、視聴を継続したまま、視聴するチャンネルを、視聴中と同一内容の番組のチャンネルへ切り替えることができる。
【００７９】
また、本実施形態では、パケット解析部２４は、第２生成ブロック２３とともに、チャンネルデコードＩＣ３１に組み込まれている。よって、パケット解析部２４をチャンネルデコードＩＣ３１と別に設ける場合のように、車載受信機１の構造が複雑化することもない。
【００８０】
本実施形態では、4チューナキャリア合成が可能なチャンネルデコードＩＣ３１の利点を生かして、安価で、かつ、従来の高機能の車載受信機１と同様の映像・音途切れのない視聴中のチャンネルサーチが実現できる。
【００８１】
そして、本実施形態のパケット解析部２４は、サーチする第２トランスポートストリームから所定のパケット４１を抽出し、抽出したパケット４１の放送局情報の一致をビット比較により判定している。
パケット解析部２４は、地上デジタル放送電波のトランスポートストリームに含まれる、放送局固有の番号（TSID）、系列局ごとに割り振られるアフィリエーションIDなどを用いて、放送局情報の一致を判定できる。
よって、従来技術のように、ＤＥＭＵＸ処理後のＭＰＥＧ２−ＴＳ方式のストリーミングデータに基づいて、放送内容の同一を判断する必要がない。
パケット解析部２４は、たとえばデコード後の第２トランスポートストリームに含まれる情報に基づいて、番組の同一を判断できる。
ＤＥＭＵＸ処理後のＭＰＥＧ２−ＴＳ方式のストリーミングデータに基づいて、放送内容の同一を判断する場合に比べて、一致判定のための構成及び動作が簡素化できる。
【００８２】
また、本実施形態において、チャンネルデコードＩＣ３１のパケット解析部２４は、放送局情報の一致の判断結果をマイクロコンピュータＩＣ３３へ出力する。
そして、チャンネルデコードＩＣ３１の第１生成ブロック１４は、マイクロコンピュータＩＣ３３の受信機制御部２２の設定により、視聴するチャンネルを、サーチしたチャンネルに切り替える。
よって、チャンネルデコードＩＣ３１に、チャンネルの切替機能などを追加する必要がない。
チャンネルを制御する受信機制御部２２により、チャンネルサーチ後のチャンネル切替を制御できる。
【００８３】
以上の実施形態は、本発明の好適な実施形態の例であるが、本発明は、これに限定されるものではなく、発明の要旨を逸脱しない範囲において種々の変形または変更が可能である。
【００８４】
たとえば上記実施形態は、地上波デジタルテレビジョン放送を受信する車載受信機１である。
この他にもたとえば、受信機は、携帯電話機、多機能携帯端末などでもよい。
また、受信機は、衛星デジタルテレビジョン放送、デジタルラジオ放送などのデジタル放送を受信してもよい。
【符号の説明】
【００８５】
１  車載受信機（受信装置）
１４  第１生成ブロック（第１生成部）
２２  受信機制御部（制御部）
２３  第２生成ブロック（第２生成部）
２４  パケット解析部
４１  パケット
７２  パケットフィルタ（分割部）
７３  パケット比較部（抽出部）
７４  情報一致判定部（判定部）
３１  チャンネルデコードＩＣ（復調用集積回路）
３２  ソースデコードＩＣ（デコード用集積回路）
【図１】
2013201682.tif 000003
【図２】
2013201682.tif 000004
【図３】
2013201682.tif 000005
【図４】
2013201682.tif 000006
【図５】
2013201682.tif 000007
【図６】
2013201682.tif 000008
【図７】
2013201682.tif 000009
【図８】
2013201682.tif 000010
【図９】
2013201682.tif 000011
【図１０】
2013201682.tif 000012